(57)【要約】本発明は、ＭＩＭＯ無線通信システムにおいてシンボルを送信することに関する。本方法は、ｐ値を求めることと、Ｍ個のデータシンボルからなる第１のブロックＸ＝（Ｘ０，．．．ＸＭ−１）にプリコーダを適用して、    【数１】2021506184.tif 000160である、Ｍ個のシンボルからなる第２のブロックＹ＝（Ｙ０，．．．ＹＭ−１）を取得することと、Ｍ個のシンボルからなる第１のブロックに、ＭサイズＤＦＴ及びその後のＮサイズＩＤＦＴを適用して、所与の持続時間を有する第１のＳＣ−ＦＤＭＡシンボルを取得することと、Ｍ個のシンボルからなる第２のブロックに、ＭサイズＤＦＴ及びその後のＮサイズＩＤＦＴを適用して、所与の持続時間を有する第２のＳＣ−ＦＤＭＡシンボルを取得することと、所与の持続時間の時間間隔の間に、第１のＳＣ−ＦＤＭＡシンボル及び第２のＳＣ−ＦＤＭＡシンボルを無線信号にして同時に送信することとを含む。
2021506184.tif 000002
【特許請求の範囲】
【請求項１】
無線通信システムにおいて無線信号を通じてシンボルを送信する方法であって、前記無線信号は、少なくとも２つの送信アンテナを備える送信機によって送信され、各アンテナは、１よりも厳密に大きい少なくとも偶数Ｍ個の異なる周波数上で送信を行うように構成され、前記方法は、
Ｍ個のシンボルからなる第１のブロックＸ＝（Ｘ０，．．．ＸＭ−１）にプリコーダを適用して、Ｍ個のシンボルからなる第２のブロックＹ＝（Ｙ０，．．．ＹＭ−１）であって、
【数１】
2021506184.tif 000141
であり、Ｐ１及びＰ２は、Ｐ１＋Ｐ２がＭ／２よりも厳密に小さい、既定の正の整数又は０に等しい整数であり、ｐは所定の整数であり、εは１又は−１であり、Ｘｋ＊はＸｋの複素共役である、第２のブロックを取得することと、
前記Ｍ個のシンボルからなる第１のブロックに、第１の送信アンテナに対応する少なくともＭサイズＤＦＴ及びその後のＮサイズＩＤＦＴを適用して、前記Ｍ個のシンボルからなる第１のブロックを表す、所与の持続時間を有する第１の単一キャリア周波数分割多元接続（ＳＣ−ＦＤＭＡ）シンボルを取得することと、
前記Ｍ個のシンボルからなる第２のブロックに、第２の送信アンテナに対応する少なくともＭサイズＤＦＴ及びその後のＮサイズＩＤＦＴを適用して、前記Ｍ個のシンボルからなる第２のブロックを表す、前記所与の持続時間を有する第２の単一キャリア周波数分割多元接続（ＳＣ−ＦＤＭＡ）シンボルを取得することと、
前記所与の持続時間の時間間隔の間に、前記第１のＳＣ−ＦＤＭＡシンボル及び前記第２のＳＣ−ＦＤＭＡシンボルをそれぞれ前記第１の送信アンテナ上及び前記第２の送信アンテナ上で前記無線信号にして同時に送信することと、
を含む、方法。
【請求項２】
ｍｏｄ（ｐ，Ｑ）≠１であり，Ｑ＝Ｍ／２−（Ｐ１＋Ｐ２）である、請求項１に記載の方法。
【請求項３】
【数２】
2021506184.tif 000142
であり，Ｑ＝Ｍ／２−（Ｐ１＋Ｐ２）である、請求項１に記載の方法。
【請求項４】
ｍｏｄ（ｐ，Ｑ）は、
【数３】
2021506184.tif 000143
及び／又は
【数４】
2021506184.tif 000144
に等しい、請求項３に記載の方法。
【請求項５】
ｍｏｄ（ｐ，Ｑ）＝Ｋであり、ここで、Ｋは、前記Ｍ個のシンボルからなる第１のブロックの第Ｐ１のシンボル
【数５】
2021506184.tif 000145
から、前記Ｍ個のシンボルからなる第１のブロックの第（Ｐ１＋Ｋ）のシンボル
【数６】
2021506184.tif 000146
までのシンボルを含むシンボルグループ内のシンボル数である、請求項１に記載の方法。
【請求項６】
前記シンボルグループの前記シンボルは、参照信号シンボル及び／又は制御シンボルである、請求項５に記載の方法。
【請求項７】
ｍｏｄ（ｐ，Ｑ）＝０であり，Ｑ＝Ｍ／２−（Ｐ１＋Ｐ２）である、請求項１に記載の方法。
【請求項８】
前記Ｍ個のシンボルからなる第１のブロックのそれぞれＫｉ個のシンボルからなるＬ個の第１グループＧｉが定義され、
【数７】
2021506184.tif 000147
はＱに等しく、
各ｉについて、
前記Ｍ個のシンボルからなる第１のブロックの第
【数８】
2021506184.tif 000148
のシンボル
【数９】
2021506184.tif 000149
から、第
【数１０】
2021506184.tif 000150
のシンボル
【数１１】
2021506184.tif 000151
までのシンボルである、第ｉの第１グループＧｉの前記Ｋｉ個のシンボルは、前記Ｍ個のシンボルからなる第１のブロックのＫｉ個のシンボルからなる第２のグループＧ’ｉのＫｉ個のシンボルと同じ第ｉのタイプを有し、前記第２のグループＧ’ｉの前記Ｋｉ個のシンボルは、前記Ｍ個のシンボルからなる第１のブロックの第
【数１２】
2021506184.tif 000152
のシンボル
【数１３】
2021506184.tif 000153
から、第
【数１４】
2021506184.tif 000154
のシンボル
【数１５】
2021506184.tif 000155
までのシンボルである、請求項７に記載の方法。
【請求項９】
各ｉについて、前記第ｉのシンボルタイプは、データシンボル、参照信号シンボル又は制御シンボルの中の１つである、請求項８に記載の方法。
【請求項１０】
各ｉについて、前記第ｉのグループＧｉの前記シンボルは、第（ｉ＋１）のグループＧｉ＋１の前記シンボルと異なるタイプのシンボルである、請求項９に記載の方法。
【請求項１１】
前記ｐは、
セル固有のｐの情報と、
一組の所定の値と、
動的制御表示と、
参照信号（ＲＳ）の構成と、
変調符号化方式（ＭＣＳ）と、
ユーザ固有のパラメータと、
前記送信機に割り当てられたリソース割り当てのサイズと、
送信機固有のｐの情報と、
別の送信機のｐ’であって、前記別の送信機がＭ’個のシンボルからなる第１のブロックＸ＝（Ｘ０,．．．ＸＭ’−１）にプリコーダを適用して、Ｍ’個のシンボルからなる第２のブロックＹ＝（Ｙ０,．．．ＹＭ’−１）であって、
【数１６】
2021506184.tif 000156
であり、Ｐ’１及びＰ’２は、Ｐ’１＋Ｐ’２がＭ’／２よりも厳密に小さい、既定の正の整数又は０に等しい整数であり、εは１又は−１である、第２のブロックを取得するようなｐ’と、
の中の少なくとも１つに基づいている、請求項１〜１０のいずれか１項に記載の方法。
【請求項１２】
前記ｐは、一組の所定の値の中からランダムに決定される、請求項１〜１１のいずれか１項に記載の方法。
【請求項１３】
前記Ｍ個のシンボルからなる第１のブロックの第ｎのシンボルＸｎの値は、
【数１７】
2021506184.tif 000157
である場合には、前記Ｍ個のシンボルからなる第１のブロックの第（ｎ＋Ｑ）のシンボルＸｎ＋Ｑの値に等しく、
【数１８】
2021506184.tif 000158
である場合には、前記Ｍ個のシンボルからなる第１のブロックの第（ｎ−Ｑ）のシンボルＸｎ−Ｑの値に等しい、請求項１〜１２のいずれか１項に記載の方法。
【請求項１４】
少なくともプロセッサによって実行されると請求項１〜１３のいずれか１項に記載の方法を実行するコード命令を含む、コンピュータプログラム製品。
【請求項１５】
無線通信システムにおいて無線信号を通じてシンボルを送信する送信機であって、前記送信機は、
各アンテナが１よりも厳密に大きい少なくとも偶数Ｍ個の異なる周波数上で送信を行うように構成された、少なくとも２つの送信アンテナと、
プロセッサと、
命令が記憶された非一時的コンピュータ可読媒体と、
を備え、
前記命令は、前記プロセッサによって実行されると、
Ｍ個のシンボルからなる第１のブロックＸ＝（Ｘ０，．．．ＸＭ−１）にプリコーダを適用して、Ｍ個のシンボルからなる第２のブロックＹ＝（Ｙ０，．．．ＹＭ−１）であって、
【数１９】
2021506184.tif 000159
であり、Ｐ１及びＰ２は、Ｐ１＋Ｐ２がＭ／２よりも厳密に小さい、既定の正の整数又は０に等しい整数であり、ｐは所定の整数であり、εは１又は−１であり、Ｘｋ＊はＸｋの複素共役である、第２のブロックを取得することと、
前記Ｍ個のシンボルからなる第１のブロックに、第１の送信アンテナに対応する少なくともＭサイズＤＦＴ及びその後のＮサイズＩＤＦＴを適用して、前記Ｍ個のシンボルからなる第１のブロックを表す、所与の持続時間を有する第１の単一キャリア周波数分割多元接続（ＳＣ−ＦＤＭＡ）シンボルを取得することと、
前記Ｍ個のシンボルからなる第２のブロックに、第２の送信アンテナに対応する少なくともＭサイズＤＦＴ及びその後のＮサイズＩＤＦＴを適用して、前記Ｍ個のシンボルからなる第２のブロックを表す、前記所与の持続時間を有する第２の単一キャリア周波数分割多元接続（ＳＣ−ＦＤＭＡ）シンボルを取得することと、
前記所与の持続時間の時間間隔の間に、前記第１のＳＣ−ＦＤＭＡシンボル及び前記第２のＳＣ−ＦＤＭＡシンボルをそれぞれ前記第１の送信アンテナ上及び前記第２の送信アンテナ上で前記無線信号にして同時に送信することと、
を行うように前記送信機を構成する、送信機。
【発明の詳細な説明】
【技術分野】
【０００１】
本発明は、包括的には、電気通信システムの分野に関し、より具体的には、ＯＦＤＭ型伝送方式と組み合わせて特に使用される、ＭＩＭＯ（多入力多出力）又はＭＩＳＯ（多入力単出力）通信の状況における無線通信に関する。
【背景技術】
【０００２】
本発明は、特定の単一シンボルＳＴＢＣプリコーダを用いるＭＩＭＯ電気通信システム又はＭＩＳＯ電気通信システムにおいて適用される。ＳＳ−ＳＴＢＣは、１シンボルＳＴＢＣ、分割シンボルＳＴＢＣ又は仮想分割ＳＴＢＣとも呼ばれる。
【０００３】
従来のＳＳ−ＳＴＢＣ方式は、ＭＩＳＯ送信又はＭＩＭＯ送信に関して低いＰＡＰＲ（ピーク対平均電力比：peak-to-average power ratio）、フルダイバーシティを提供するとともに、ＯＦＤＭ型方式の単一キャリア特性を維持するように開発されてきた。
【０００４】
従来のＳＳ−ＳＴＢＣは、ＳＳ−ＳＴＢＣプリコーダをシンボルブロックＸ＝（Ｘ０，．．．ＸＭ−１）に適用して、シンボルブロックＹ＝（Ｙ０，．．．ＹＭ−１）を取得することにその本質がある。その後、ＭサイズＤＦＴ（離散フーリエ変換：discrete Fourier transform）が、各シンボルブロックＸ及びＹに適用される。各シンボルブロックについて、Ｍ個の複素シンボルが周波数領域において取得される。これらの複素シンボルは、それぞれ
【数１】
2021506184.tif 000003
及び
【数２】
2021506184.tif 000004
である。これらの複素シンボルは、周波数領域においてＮサイズＩＤＦＴ（逆離散フーリエ変換：inverse discrete Fourier transform）のＮ個の入力の中からのＭ個にマッピングされ、したがって、ＩＤＦＴの出力において、信号
【数３】
2021506184.tif 000005
及び信号
【数４】
2021506184.tif 000006
が取得される。各信号は、単一キャリア周波数分割多元接続（ＳＣ−ＦＤＭＡ：single-carrier frequency division multiple access）のシンボルに対応する時間間隔の間、Ｎ個の存在するサブキャリアの中からのＭ個の割り当てられたサブキャリアを占有する。信号
【数５】
2021506184.tif 000007
及び
【数６】
2021506184.tif 000008
は、所与の時間間隔の間の周波数領域表現がそれぞれ、ｋ＝０〜Ｍ−１である第ｋの占有サブキャリアごとの複素シンボルＳｋＴｘ１及びＳｋＴｘ２である時間領域信号である。同様に、所与の時間間隔の間の時間領域信号
【数７】
2021506184.tif 000009
及び
【数８】
2021506184.tif 000010
はそれぞれ、ｋ＝０〜Ｍ−１である第ｋの周波数ごとの周波数領域複素シンボルＳｋＴｘ１及びＳｋＴｘ２を表す。これらの時間領域信号
【数９】
2021506184.tif 000011
及び
【数１０】
2021506184.tif 000012
はそれぞれ、ＳＣ−ＦＤＭＡシンボルに対応する。したがって、信号
【数１１】
2021506184.tif 000013
又は信号
【数１２】
2021506184.tif 000014
におけるサンプルはそれぞれ、第１の送信アンテナに対応するＳＣ−ＦＤＭＡシンボルにおけるサンプルと、第２の送信アンテナに対応するＳＣ−ＦＤＭＡシンボルにおけるサンプルとを指す。ＩＤＦＴの後、任意選択でサイクリックプレフィックス（ＣＰ：cyclic prefix）を付加することができる。
【０００５】
シンボルブロックＸ＝（Ｘ０，．．．ＸＭ−１）（第１のシンボルブロックとも呼ばれる）に適用されたプリコーダは、シンボルブロックＹ＝（Ｙ０，．．．ＹＭ−１）（第２のシンボルブロックとも呼ばれる）を出力する。第１のシンボルブロックＸ＝（Ｘ０，．．．ＸＭ−１）は、図３に示すように、Ｍ／２個のシンボルからなる２つの部分に分割される。第１の部分及び第２の部分はそれぞれ、Ｑ個の連続した変調シンボル
【数１３】
2021506184.tif 000015
及びＱ個の連続した変調シンボル
【数１４】
2021506184.tif 000016
を含む。これらの第１の部分及び第２の部分のＱ個の連続した変調シンボルは、データ及び／又は参照信号（reference signals：基準信号）を含む。
【０００６】
ブロックシンボルのこれらの２つの部分の間の干渉を制限するために、第１の部分は、Ｑ個の連続した変調シンボル
【数１５】
2021506184.tif 000017
の前及び後にそれぞれ位置決めされたＰ１個の連続したシンボルからなる任意選択のサイクリックプレフィックス、及び／又は、Ｐ２個の連続したシンボルからなる任意選択のサイクリックポストフィックスを含むことができる。第２の部分も、Ｑ個の連続した変調シンボル
【数１６】
2021506184.tif 000018
の前及び後にそれぞれ位置決めされたＰ１個の連続したシンボルからなる任意選択のサイクリックプレフィックス及びＰ２個の連続したシンボルからなる任意選択のサイクリックポストフィックスを含むことができる。第１の部分は、サイクリックプレフィックス内のＰ１個のシンボルと、サイクリックポストフィックス内のＰ２個のシンボルと、Ｑ個のデータ／ＲＳシンボルとを含む。したがって、Ｐ１＋Ｐ２＋Ｑ＝Ｍ／２である。ここで、Ｐ１及び／又はＰ２は、０に等しくすることができる。Ｍは偶数と考えられる。
【０００７】
したがって、第１のシンボルブロックＸ＝（Ｘ０，．．．ＸＭ−１）は、第１の部分のサイクリックプレフィックスについては、
【数１７】
2021506184.tif 000019
によって定義することができ、第１の部分のデータ／ＲＳシンボルについては、
【数１８】
2021506184.tif 000020
によって定義することができ、第１の部分のサイクリックポストフィックスについては、
【数１９】
2021506184.tif 000021
によって定義することができ、第２の部分のサイクリックプレフィックスについては、
【数２０】
2021506184.tif 000022
によって定義することができ、第２の部分のデータ／ＲＳシンボルについては、
【数２１】
2021506184.tif 000023
によって定義することができ、第２の部分のサイクリックポストフィックスについては、
【数２２】
2021506184.tif 000024
によって定義することができる。
【０００８】
ＳＳ−ＳＴＢＣプリコーダを第１のシンボルブロックＸ＝（Ｘ０，．．．ＸＭ−１）に適用すると、第２のシンボルブロックＹ＝（Ｙ０，．．．ＹＭ−１）が取得される。この第２のシンボルブロックは、事前に定義された第１のシンボルブロックに対して相対的に定義することができ、第１の部分のサイクリックプレフィックスについては、
【数２３】
2021506184.tif 000025
によって定義することができ、第１の部分のデータ／ＲＳシンボルについては、
【数２４】
2021506184.tif 000026
によって定義することができ、第１の部分のサイクリックポストフィックスについては、
【数２５】
2021506184.tif 000027
によって定義することができ、第２の部分のサイクリックプレフィックスについては、
【数２６】
2021506184.tif 000028
によって定義することができ、第２の部分のデータ／ＲＳシンボルについては、
【数２７】
2021506184.tif 000029
によって定義することができ、第２の部分のサイクリックポストフィックスについては、
【数２８】
2021506184.tif 000030
によって定義することができる。
【０００９】
ただし、
【数２９】
2021506184.tif 000031
であり、
【数３０】
2021506184.tif 000032
であり、Ｘ＊はＸの複素共役である。
【００１０】
以下では、シンボルＸｎに対応する高エネルギーサンプルのみの信号
【数３１】
2021506184.tif 000033
又は
【数３２】
2021506184.tif 000034
（言い換えると、第１の送信アンテナ及び第２の送信アンテナにそれぞれ対応するＳＣ−ＦＤＭＡシンボル）におけるシンボルＸｎに対応するサンプルに言及する。すなわち、値
【数３３】
2021506184.tif 000035
又は値
【数３４】
2021506184.tif 000036
が、非零値がＸｎに割り当てられたシンボルブロックＸ（ｎ）＝（０，．．．，０，Ｘｎ，０，．．．，０）が、上述したＳＳ−ＳＴＢＣ方式の入力、又は、その出力が信号
【数３５】
2021506184.tif 000037
及び信号
【数３６】
2021506184.tif 000038
である後述する特定の方式の入力に与えられるときに適切に選ばれる所与の閾値よりも大きいサンプル
【数３７】
2021506184.tif 000039
又は
【数３８】
2021506184.tif 000040
に言及する。
【００１１】
しかしながら、上述したＳＳ−ＳＴＢＣプリコーダを用いるそのような方式は、ほとんどの参照信号挿入パターンに適していない可能性がある。加えて、ＳＳ−ＳＴＢＣプリコーダを実施したものは、複雑度が高い。
【００１２】
その上、そのようなＳＳ−ＳＴＢＣプリコーダは、特に、現在標準化段階にあるｎｅｗ  ｒａｄｉｏ規格又は５Ｇに該当するミリ波システムにおいて、高速のチャネル変動に対するＳＳ−ＳＴＢＣ方式の感度を高める。高いキャリア周波数レベルにおいて実行される動作は、位相雑音、キャリア周波数オフセット、ドップラー効果等の種々の原因による強い／高速の位相変動を受ける。この高い感度によって、干渉及び性能損失がもたらされるおそれがある。
【００１３】
加えて、ＳＳ−ＳＴＢＣ方式は、同じセル内の幾つかの端末がこの同じ方式を用いて基地局と通信するとき、容易に干渉を受ける。
【発明の概要】
【発明が解決しようとする課題】
【００１４】
本発明は、上記状況を改善することを目的とする。
【課題を解決するための手段】
【００１５】
このために、本発明は、無線通信システムにおいて無線信号を通じてシンボルを送信する方法であって、上記無線信号は、少なくとも２つの送信アンテナを備える送信機によって送信され、各アンテナは、１よりも厳密に大きい少なくとも偶数Ｍ個の異なる周波数上で送信を行うように構成され、上記方法は、
Ｍ個のシンボルからなる第１のブロックＸ＝（Ｘ０，．．．ＸＭ−１）にプリコーダを適用して、Ｍ個のシンボルからなる第２のブロックＹ＝（Ｙ０，．．．ＹＭ−１）であって、
【数３９】
2021506184.tif 000041
であり、Ｐ１及びＰ２は、Ｐ１＋Ｐ２がＭ／２よりも厳密に小さい、既定の正の整数又は０に等しい整数であり、ｐは所定の整数であり、εは１又は−１であり、Ｘｋ＊はＸｋの複素共役である、第２のブロックを取得することと、
Ｍ個のシンボルからなる第１のブロックに、第１の送信アンテナに対応する少なくともＭサイズＤＦＴ及びその後のＮサイズＩＤＦＴを適用して、Ｍ個のシンボルからなる第１のブロックを表す、所与の持続時間を有する第１の単一キャリア周波数分割多元接続（ＳＣ−ＦＤＭＡ）シンボルを取得することと、
Ｍ個のシンボルからなる第２のブロックに、第２の送信アンテナに対応する少なくともＭサイズＤＦＴ及びその後のＮサイズＩＤＦＴを適用して、Ｍ個のシンボルからなる第２のブロックを表す、所与の持続時間を有する第２の単一キャリア周波数分割多元接続（ＳＣ−ＦＤＭＡ）シンボルを取得することと、
所与の持続時間の時間間隔の間に、第１のＳＣ−ＦＤＭＡシンボル及び第２のＳＣ−ＦＤＭＡシンボルをそれぞれ第１の送信アンテナ及び第２の送信アンテナ上で無線信号にして同時に送信することと、
を含む、方法に関する。
【００１６】
これによって、
【数４０】
2021506184.tif 000042
である場合のシンボルペア
【数４１】
2021506184.tif 000043
における第２のシンボルの、Ｍ個のデータシンボルからなる第１のブロック内の位置を選ぶこと又は適合させることが可能になる。以下では、これらのペアはアラモウチペアとも呼ばれる。確かに、Ｍ個のデータシンボルからなる第２のブロック内において、アラモウチペア
【数４２】
2021506184.tif 000044
がプリコーディングされたもの、すなわち、
【数４３】
2021506184.tif 000045
に由来するシンボルは、同じ位置（ｋ，Ｍ／２＋Ｐ１＋ｍｏｄ（−ｋ＋Ｐ１＋ｐ−１，Ｑ））に検出される。ａｂｓ（ｋ−（Ｍ／２＋Ｐ１＋ｍｏｄ（−ｋ＋Ｐ１＋ｐ−１，Ｑ）））は、プリコーディング距離としても表記される。このプリコーディング距離は、Ｍ個のシンボルからなる第１のブロック内の同じアラモウチペアの２つのシンボルの間の距離である。
【００１７】
プリコーダに用いられるｐの値を適合させることによって、本方法は、通信の他の設定及び環境に従って特定のＳＳ−ＳＴＢＣ型プリコーディングを最適化することが可能になる。例えば、プリコーディングのｐの値を単に変えるだけで、例えば、チャネルの干渉又は高速の変動及び／又は変化に対する復号化誤りを削減することができる。別の例では、ｐ値は、特定のＳＳ−ＳＴＢＣ型プリコーディングに特定の参照信号挿入パターンに適合させるように選ぶこともできる。
【００１８】
ｐ値は、第１のシンボルブロック及び第２のシンボルブロック内のシンボルの特定のペアリングを表す。このペアリングは事前に定められる。すなわち、ｐ値は、通信の設定及び／又は環境（例えば、通信方式及び／又は通信干渉及び／又はチャネルの特性等）を考慮するために事前に求められ、したがって、プリコーダは、この通信設定及び／又は環境に適合するようになっている。
【００１９】
時間間隔は、ｎ＝０〜Ｍ−１である全てのシンボルＸｎに対応するサンプルが送信される持続時間であり、ＳＣ−ＦＤＭＡシンボルの持続時間に等しい持続時間であることを意味する。
【００２０】
Ｘ＝（Ｘ０，．．．ＸＭ−１）のシンボルＸｎは、例えば、ＱＰＳＫデジタル変調方式、又は、ＱＡＭのような他の任意のデジタル変調方式によって得ることができる。Ｍは、割り当てられたサブキャリアの数である。そのようなＳＳ−ＳＴＢＣ方式では、Ｍは偶数である。Ｘｎのうちの幾つかについて、例えば、参照信号として設定されたＸｎについて、特定の変調方式又は他の系列も用いることができる。
【００２１】
送信アンテナはＭ個の周波数上で送信するように構成され、すなわち、そのような送信アンテナによって送信される信号は、Ｍ個の割り当てられたサブキャリアのサブキャリアごとに１つずつの、Ｍ個の複素シンボルにＮサイズＩＤＦＴを適用することによって与えられる。ＩＤＦＴに先行して、Ｍ個のサブキャリアは、サブキャリアマッピングモジュールによって、より多くの数のＮ個のサブキャリア上にマッピングすることができる。これらのサブキャリアのうちのＮ−Ｍ個は、０に設定されるので割り当てられないサブキャリアであり、Ｍ個の他のサブキャリアは、Ｍ個の複素シンボルがマッピングされるＭ個の割り当てられたサブキャリアである。この場合、ＩＤＦＴモジュールはサイズＮからなる。
【００２２】
無線信号は全ての送信アンテナによって合わせて与えられる信号と理解されたい。
【００２３】
εの値は、既定値１又は−１である。別段の指定がない限り、以下では、ε＝１とみなす。実際に、第２のアンテナに関係した信号の正負符号（＋／−）の変化は、本方法を変えることはない。
【００２４】
ｍｏｄ（Ａ，Ｂ）は、ＢによるＡのユークリッド除法の剰余であるＡモジュロＢであることを意味する。形式的に、ｍｏｄ（Ａ，Ｂ）は、Ａ−Ｅ［Ａ／Ｂ］＊Ｂと記述することができる。
【００２５】
本発明の一態様によれば、ｍｏｄ（ｐ，Ｑ）≠１であり，Ｑ＝Ｍ／２−（Ｐ１＋Ｐ２）である。
【００２６】
これによって、３ＧＰＰ  ＮＲにおけるＰＵＳＣＨについて定義された幾つかの参照信号挿入パターンとの不整合を回避することが可能になる。加えて、１に設定されたｐ値を有するＳＳ−ＳＴＢＣ型プリコーダを用いるとき、Ｍ個のデータシンボルからなる第１のブロックにおける２つのアラモウチペアの間の最大距離はＭ−（Ｐ１＋Ｐ２）−２であり、これは、シンボルＸｎに対応する第１の単一キャリア周波数分割多元接続（ＳＣ−ＦＤＭＡ）シンボル内のサンプルの送信と、シンボルＸｎからプリコーダによって送出されたシンボルに対応する第２の単一キャリア周波数分割多元接続（ＳＣ−ＦＤＭＡ）シンボル内のサンプルの送信との間の重要な持続時間を与える。これらのシンボルは、
−ｎがＰ１以上であって、Ｍ／２−Ｐ２以下であるときは、
【数４４】
2021506184.tif 000046
であり、
−ｎがＭ／２＋Ｐ１以上であって、Ｍ−Ｐ２以下であるときは、
【数４５】
2021506184.tif 000047
である。
【００２７】
本発明の一態様によれば、
【数４６】
2021506184.tif 000048
であり，Ｑ＝Ｍ／２−（Ｐ１＋Ｐ２）である。有利には、ｍｏｄ（ｐ，Ｑ）は、
【数４７】
2021506184.tif 000049
及び／又は
【数４８】
2021506184.tif 000050
に等しい。
【００２８】
これによって、Ｍ個のデータシンボルからなる第１のブロックにおける、アラモウチペアの２つのシンボルの間の最大距離、すなわち、最大プリコーディング距離を削減することが可能になる。したがって、シンボルＸｎに対応する第１の単一キャリア周波数分割多元接続（ＳＣ−ＦＤＭＡ）シンボル内のサンプルの送信と、シンボルＸｎからプリコーダによって送出されたシンボルに対応する第２の単一キャリア周波数分割多元接続（ＳＣ−ＦＤＭＡ）シンボル内のサンプルの送信との間の最大持続時間が削減される。
【００２９】
このように、持続時間を最小にすることによって、シンボルＸｎに対応する第１のＳＣ−ＦＤＭＡシンボル内のサンプルの送信と、シンボルＸｎに対応する第２のＳＣ−ＦＤＭＡシンボル内のサンプルの送信との間のチャネル変化を最小にすることが可能になる。これは、特に送信機又は受信機が移動しているときに、干渉及び性能損失をもたらす同じアラモウチペアのシンボル間の直交性損失を削減する。
【００３０】
本発明の一態様によれば、ｍｏｄ（ｐ，Ｑ）＝Ｋであり、ここで、Ｋは、Ｍ個のシンボルからなる第１のブロックの第Ｐ１のシンボル
【数４９】
2021506184.tif 000051
から、Ｍ個のシンボルからなる第１のブロックの第（Ｐ１＋Ｋ）のシンボル
【数５０】
2021506184.tif 000052
までのシンボルを含むシンボルグループ内のシンボル数である。
【００３１】
これによって、シンボルグループのＫ個のシンボルを、Ｍ個のシンボルからなる第１のブロックのＰ１個の第１のシンボルから構成されるサイクリックプレフィックスの直後に位置決めすることが可能になるとともに、グループのシンボルに由来する第２のシンボルブロック内のシンボル（以下、由来シンボルという）も、Ｍ個のシンボルからなる第２のブロックの
【数５１】
2021506184.tif 000053
から
【数５２】
2021506184.tif 000054
までのＰ１個のシンボルから構成されるサイクリックプレフィックスの直後に位置決めされる。したがって、Ｋ個のシンボルからなるグループのシンボル及び由来シンボルは、干渉、特にマルチパス干渉に対してより多く保護され、したがって、それらのシンボルの伝送品質を改善することが可能になる。
【００３２】
有利には、シンボルグループのシンボルは、参照信号シンボル及び／又は制御シンボルである。参照信号シンボル、すなわち、参照信号を表すシンボルと、制御シンボル、すなわち、制御情報を表すシンボルとは、他のシンボルを適切に復号化するのに特に重要であり得るので、参照信号シンボル又は制御シンボルとしてＫ個のシンボルを設定することによって、受信機を目的としたデータのより良好な受信が保証される。
【００３３】
本発明の一態様によれば、ｍｏｄ（ｐ，Ｑ）＝０であり，Ｑ＝Ｍ／２−（Ｐ１＋Ｐ２）である。
【００３４】
これによって、実施の複雑さを低減することが可能になる。
【００３５】
本発明の一態様によれば、Ｍ個のシンボルからなる第１のブロックのそれぞれＫｉ個のシンボルからなるＬ個の第１グループＧｉが定義され、
【数５３】
2021506184.tif 000055
はＱに等しく、
各ｉについて、
Ｍ個のデータシンボルからなる第１のブロックの第
【数５４】
2021506184.tif 000056
のシンボル
【数５５】
2021506184.tif 000057
から、第
【数５６】
2021506184.tif 000058
のシンボル
【数５７】
2021506184.tif 000059
までのシンボルである、第ｉの第１グループＧｉのＫｉ個のシンボルは、Ｍ個のシンボルからなる第１のブロックのＫｉ個のシンボルからなる第２のグループＧ’ｉのＫｉ個のシンボルと同じ第ｉのタイプを有し、第２のグループＧ’ｉのＫｉ個のシンボルは、Ｍ個のシンボルからなる第１のブロックの第
【数５８】
2021506184.tif 000060
のシンボル
【数５９】
2021506184.tif 000061
から、第
【数６０】
2021506184.tif 000062
のシンボル
【数６１】
2021506184.tif 000063
までのシンボルである。
【００３６】
上記で定義したグループ構造は、プリコーダによって操作される変換によって維持される。すなわち、グループ
【数６２】
2021506184.tif 000064
及び
【数６３】
2021506184.tif 000065
の由来シンボルを含むＭ個のシンボルからなる第２のブロックのシンボルグループは、グループ
【数６４】
2021506184.tif 000066
及び
【数６５】
2021506184.tif 000067
と同じタイプを有する。したがって、各ｉについて、グループＧｉ及びＧ’ｉが同じタイプを有する場合、無線信号において同時に送信されるシンボルＸｎのサンプル（第１のＳＣ−ＦＤＭＡシンボル内）及びシンボルＹｎのサンプル（第２のＳＣ−ＦＤＭＡシンボル内）は、同じタイプを有する。したがって、そのようなグループ構造によって、グループＧｉ及びＧ’ｉのシンボルの受信機における処理を他のシンボルと分離することが可能になり、これによって、シンボルのタイプ別に処理を分離することが可能になる。例えば、受信機は、参照信号のグループを分離して処理することができる。
【００３７】
この構造によって、異なるグループのシンボル間の干渉、特に、異なるタイプのシンボルを有するグループからのシンボル間の干渉をハンドリングすることも可能になる。有利には、各ｉについて、第ｉのタイプのシンボルは、例えば、データシンボル、参照信号シンボル及び／又は制御シンボル等の異なるシンボルカテゴリーの中の１つである。有利には、大量のグループの処理を回避するために、各ｉについて、第ｉのグループＧｉのシンボルは、第（ｉ＋１）のグループＧｉ＋１のシンボルと異なるシンボルのタイプを有する。
【００３８】
有利には、ｐ値を求めることは、プリコーダにおいてｐ値として用いられる最適化されたｐ値を求めることを含む。有利には、ｐ値を求めることは、ｐ値を計算することを含む。
【００３９】
適切なｐ値（又は最適化されたｐ値）を求めることは、幾つかの方法によって行うことができる。例えば、ｐ値は、以下のものに基づいて求めることができる。
−異なる基地局のカバレッジエリアに位置する送信機の間の干渉の影響を低減することを可能にする、基地局によって求められるセル固有のｐ値情報。この値はセル固有である。この値は、受信機が新たなセルに入ったとき、及び／又は、セル固有のｐ値が変更されたときにのみ送信する必要がある。したがって、この値は、少ないシグナリングオーバーヘッド（すなわち、少量の制御データ）で送信することができる；
−セルの構成及び／又はリソース割り当て等のユーザ固有の構成に従ってプリコーダを適合させることを可能にする、制御チャネル（例えば、ＤＣＩ（ダウンリンク制御情報）フィールド又はＳＣＩ（サイドリンク制御情報）フィールド）を介した動的制御表示；
−使用される特定の参照信号挿入パターンに適合したｐ値を求めることを可能にする参照信号（ＲＳ）構成。確かに、Ｘｎが参照シンボルとして用いられる場合、シンボルは、
【数６６】
2021506184.tif 000068
又は
【数６７】
2021506184.tif 000069
も参照信号となり、したがって、これらのシンボルのアラモウチペアを参照シンボルとして設定することも便利である。これは、基地局によって構成されるＲＳ挿入パターンに基づいてｐ値を適合させることを必要とする；
−或るユーザが他のユーザに対して引き起こす干渉プロファイルをランダム化することを可能にする変調符号化方式（ＭＣＳ）及び／又は他の任意のユーザ固有若しくはグループ固有のパラメータ；
−同じ割り当てを有するユーザがＭＵ−ＭＩＭＯ送信においてペアリングされるときに容易な復号化を可能にする、送信機に割り当てられるリソース割り当てのサイズ；
−基地局によって求められる送信機固有のｐ値情報。基地局は、このｐ値を使用するように端末に直接指定することができる；
−別の送信機が、Ｍ’個のシンボルからなる第１のブロックＸ＝（Ｘ０，．．．ＸＭ’−１）にプリコーダを適用してＭ’個のシンボルからなる第２のブロックＹ＝（Ｙ０，．．．ＹＭ’−１）を取得するような別の送信機のｐ’値。ただし、
【数６８】
2021506184.tif 000070
であり、Ｐ’１及びＰ’２は、Ｐ’１＋Ｐ’２がＭ’／２よりも厳密に小さい、既定の正の整数又は０に等しい整数であり、εは１又は−１である。これによって、異なる割り当てを有するユーザがＭＵ−ＭＩＭＯ送信においてペアリングされるときに容易な復号化が可能になる；
−端末が基地局と通信するために基地局によって認可されたｐ値を含む、基地局によって求められる一組の所定の値を端末に送信することもできる。そのような一組の値に基づいて、用いられるｐ値をランダムに決定することができる。したがって、２つの端末が同じｐ値を用いる確率がより低くなる。
【００４０】
上記の論証は、送信機がユーザ機器であり、受信機が基地局である場合、及び、受信機がユーザ機器（すなわち、モバイル端末）であり、送信機が基地局である場合に同様に当てはまる。全ての場合において、受信機は、送信機によって用いられるパラメータを認識する必要がある。
【００４１】
いずれの場合も、送信機及び受信機の双方は、送信中に用いられるｐ値について共通の理解を有する必要がある。この値はシグナリングされるか、又は、暗黙的なルールによって、送信機及び受信機は、使用されるこの値を明瞭に求めることが可能になる。
【００４２】
動的制御表示は、物理制御チャネル（例えば、ＬＴＥ又はＮＲでは、ＰＤＣＣＨ、ＰＵＣＣＨ、ＰＳＣＣＨ）によって搬送される情報を意味する。例えば、この情報は、ＤＣＩ／ＵＣＩ／ＳＣＩフォーマットのフィールドとすることができる。
【００４３】
ユーザ固有のパラメータは、例えば、物理制御チャネルを介して又は上位レイヤシグナリングによってユーザに個別に構成することができるパラメータを意味する。アップリンク通信用又はダウンリンク通信用のいずれかに構成されるそのようなパラメータは、変調符号化方式、リソース割り当て、参照信号構成／パターン（例えば、ＤＭＲＳ、ＳＲＳ、ＰＴＲＳ、ＣＳＩ−ＲＳ、ＴＲＳ、ＰＲＳ等）、伝送方式、符号語の数、電力制御等を含む（ただし、これらに限定されない）。同様に、グループ固有のパラメータは、ユーザグループに構成することができる、そのグループに共通のパラメータを意味する。
【００４４】
本発明の一態様によれば、Ｍ個のデータシンボルからなる第１のブロックの第ｎのシンボルＸｎの値は、
【数６９】
2021506184.tif 000071
である場合には、Ｍ個のデータシンボルからなる第１のブロックの第（ｎ＋Ｑ）のシンボルＸｎ＋Ｑの値に等しく、
【数７０】
2021506184.tif 000072
である場合には、Ｍ個のデータシンボルからなる第１のブロックの第（ｎ−Ｑ）のシンボルＸｎ−Ｑの値に等しい。
【００４５】
これによって、プレフィックスシンボル及び／又はポストフィックスシンボルを設定して有用なシンボルを保護することが可能になる。
【００４６】
本発明の第２の態様は、プロセッサによって実行されると上述した方法を実行するコード命令を含む、コンピュータプログラム製品に関する。
【００４７】
本発明の第３の態様は、無線通信システムにおいて無線信号を通じてデータシンボルを送信する送信機であって、送信機は、
各アンテナが１よりも厳密に大きい少なくとも偶数Ｍ個の異なる周波数上で送信を行うように構成された、少なくとも２つの送信アンテナと、
プロセッサと、
命令が記憶された非一時的コンピュータ可読媒体と、
を備え、
命令は、プロセッサによって実行されると、
Ｍ個のシンボルからなる第１のブロックＸ＝（Ｘ０，．．．ＸＭ−１）にプリコーダを適用して、Ｍ個のシンボルからなる第２のブロックＹ＝（Ｙ０，．．．ＹＭ−１）であって、
【数７１】
2021506184.tif 000073
であり、Ｐ１及びＰ２は、Ｐ１＋Ｐ２がＭ／２よりも厳密に小さい、既定の正の整数又は０に等しい整数であり、ｐは所定の整数であり、εは１又は−１であり、Ｘｋ＊はＸｋの複素共役である、第２のブロックを取得することと、
Ｍ個のシンボルからなる第１のブロックに、第１の送信アンテナに対応する少なくともＭサイズＤＦＴ及びその後のＮサイズＩＤＦＴを適用して、Ｍ個のシンボルからなる第１のブロックを表す、所与の持続時間を有する第１の単一キャリア周波数分割多元接続（ＳＣ−ＦＤＭＡ）シンボルを取得することと、
Ｍ個のシンボルからなる第２のブロックに、第２の送信アンテナに対応する少なくともＭサイズＤＦＴ及びその後のＮサイズＩＤＦＴを適用して、Ｍ個のシンボルからなる第２のブロックを表す、所与の持続時間を有する第２の単一キャリア周波数分割多元接続（ＳＣ−ＦＤＭＡ）シンボルを取得することと、
所与の持続時間の時間間隔の間に、第１のＳＣ−ＦＤＭＡシンボル及び第２のＳＣ−ＦＤＭＡシンボルをそれぞれ第１の送信アンテナ及び第２の送信アンテナ上で無線信号にして同時に送信することと、
を行うように送信機を構成する、送信機に関する。
【００４８】
本発明は、添付図面の図に、限定としてではなく例として示される。添付図面において、同様の参照符号は同様の要素を参照する。
【図面の簡単な説明】
【００４９】
【図１】特定のＳＳ−ＳＴＢＣ型の送信機及び受信機を示す図である。
【図２】本発明による特定のＳＳ−ＳＴＢＣ型送信機の概略ブロック図である。
【図３】本発明による特定のＳＳ−ＳＴＢＣ型プリコーダ論理機能の詳細図である。
【図４】本発明による特定のＳＳ−ＳＴＢＣ型プリコーダ論理機能の詳細図である。
【図５】本発明による、
【数７２】
2021506184.tif 000074
及び／又は
【数７３】
2021506184.tif 000075
に設定されたｐ値を有する特定のＳＳ−ＳＴＢＣ型プリコーダ論理機能の詳細図である。
【図６】本発明による、Ｋに設定されたｐ値を有する特定のＳＳ−ＳＴＢＣ型プリコーダ論理機能の詳細図である。
【図７】本発明による、０に設定されたｐ値を有する特定のＳＳ−ＳＴＢＣ型プリコーダ論理機能の詳細図である。
【図８】本発明による、無線信号においてシンボルを送信するステップを表すフローチャートである。
【発明を実施するための形態】
【００５０】
図１を参照すると、受信機１．２に無線信号を送信する送信機１．１が示されている。送信機１．１は受信機１．２のセル内にある。この送信は、ＯＦＤＭに基づくシステムの状況における特定のＳＳ−ＳＴＢＣに基づく送信とすることができる。この例において、送信機１．１はモバイル端末（ユーザ機器（ＵＥ）とも呼ばれる）であり、受信機１．２は固定局であり、ＬＴＥの状況では基地局である。送信機１．１は固定局とすることもでき、受信機１．２はモバイル端末とすることもできる。送信機１．１及び受信機１．２の双方をモバイル端末として（例えば、デバイスツーデバイス通信又はサイドリンク通信の間に）有することも可能である。
【００５１】
送信機１．１は、１つの通信モジュール（ＣＯＭ＿ｔｒａｎｓ）１．３と、１つの処理モジュール（ＰＲＯＣ＿ｔｒａｎｓ）１．４と、メモリユニット（ＭＥＭＯ＿ｔｒａｎｓ）１．５とを備える。ＭＥＭＯ＿ｔｒａｎｓ１．５は、コンピュータプログラムを取り出す不揮発性ユニットと、プリコーディングに用いられるｐ値のような通信に用いられるパラメータを取り出す揮発性ユニットとを備える。ＰＲＯＣ＿ｔｒａｎｓ１．４は、特定のＳＳ−ＳＴＢＣ型プリコーダに従って、Ｍ個のシンボルからなる第１のブロックＸを、Ｍ個のシンボルからなる第２のブロックＹにプリコーディングするように構成されている。ＣＯＭ＿ｔｒａｎｓは、無線信号を受信機１．２に送信するように構成されている。処理モジュール１．４及びメモリユニット１．５は、プリコーディングに専用化することもできるし、無線信号の他の処理ステップのような送信機の他の機能に用いることもできる。
【００５２】
受信機１．２は、１つの通信モジュール（ＣＯＭ＿ｒｅｃｅｉ）１．６と、１つの処理モジュール（ＰＲＯＣ＿ｒｅｃｅｉ）１．７と、メモリユニット（ＭＥＭＯ＿ｒｅｃｅｉ）１．８とを備える。ＭＥＭＯ＿ｒｅｃｅｉ１．８は、コンピュータプログラムを取り出す不揮発性ユニットと、プリコーディングに用いられるｐ値のような通信に用いられるパラメータを取り出す揮発性ユニットとを備える。ＰＲＯＣ＿ｒｅｃｅｉ１．７は、信号を復号化して、Ｍ個のシンボルからなる第１のブロックＸのシンボルを取り出すように構成されている。ＣＯＭ＿ｒｅｃｅｉ１．６は、送信機から無線信号を受信するように構成されている。
【００５３】
図２を参照すると、特定のＳＳ−ＳＴＢＣ型送信機のブロック図が示されている。そのような特定のＳＳ−ＳＴＢＣ型送信機は、シンボルブロック（第１のシンボルブロック）及びプリコーディングされたシンボルブロック（第２のシンボルブロック）に対してＳＣ−ＦＤＭＡ方式を適用して無線信号を得る。これによって、チャネル使用あたり１シンボルのレートのフルダイバーシティが確保される。そのような送信機は、少なくとも２つの送信アンテナＴｘ１  ２．０及びＴｘ２  ２．１上で無線信号を送信する。
【００５４】
無線信号は、特定のＳＳ−ＳＴＢＣ型プリコーダ２．２を第１のシンボルブロックＸ＝（Ｘ０，．．．ＸＭ−１）に適用して第２のシンボルブロックＹ＝（Ｙ０，．．．ＹＭ−１）を取得することによって与えられる。第１のシンボルブロックは、ＱＰＳＫデジタル変調方式又はＱＡＭのような他の任意のデジタル変調方式によって得ることができる。Ｍは、割り当てられたサブキャリアの数である。そのようなＳＳ−ＳＴＢＣ方式では、Ｍは偶数である。
【００５５】
その後、ＭサイズＤＦＴ２．３、２．４（離散フーリエ変換）が、各シンボルブロックＸ及びＹに適用される。各シンボルブロックについて、Ｍ個の複素シンボルが周波数領域において取得される。これらの複素シンボルは、それぞれ
【数７４】
2021506184.tif 000076
及び
【数７５】
2021506184.tif 000077
である。すなわち、各ＭサイズＤＦＴ２．３、２．４について、Ｍ個の割り当てられたサブキャリアの中の第ｋサブキャリアごとに１つの複素シンボルが取得される。これらの複素シンボルは、周波数領域においてサブキャリアマッピングモジュール２．５及び２．６を用いて、ＮサイズＩＤＦＴモジュール２．７、２．８のＮ個の入力の中からのＭ個にマッピングされる。サブキャリアマッピングに関して、各複素シンボルベクトル
【数７６】
2021506184.tif 000078
及び
【数７７】
2021506184.tif 000079
は、サブキャリアマッピングモジュール２．５及び２．６を介してＮ個の存在するサブキャリアのうちのＭ個の割り当てられたサブキャリアにマッピングされる。このサブキャリアマッピングは、例えば、局在化させることができる。すなわち、各ベクトルＳＴｘ１，２のＭ個の要素は、Ｎ個の存在するサブキャリアの中からのＭ個の連続したサブキャリアにマッピングされる。このサブキャリアマッピングは、例えば、分散させることもできる。すなわち、各ベクトルＳＴｘ１，２のＭ個の要素は、帯域幅全体にわたって等距離にマッピングされ、使用されないサブキャリアは０で埋められる。
【００５６】
その後、サブキャリアマッピングモジュール２．５及び２．６の結果として得られた２つのベクトル
【数７８】
2021506184.tif 000080
及び
【数７９】
2021506184.tif 000081
にサイズＮの逆ＤＦＴ２．７及び２．８が適用され、その結果、２つのＳＣ−ＦＤＭＡシンボルが生成される。それらのシンボルのそれぞれは、２つの送信アンテナのそれぞれ１つから同時に送信される。より正確には、ＩＤＦＴモジュール２．７、２．８の出力において、信号
【数８０】
2021506184.tif 000082
及び信号
【数８１】
2021506184.tif 000083
が取得される。これらの信号のそれぞれは、単一キャリア周波数分割多元接続ＳＣ−ＦＤＭＡのシンボルに対応する時間間隔の間、Ｎ個の存在するサブキャリアの中からのＭ個の割り当てられたサブキャリアを占有する。信号
【数８２】
2021506184.tif 000084
及び
【数８３】
2021506184.tif 000085
は、所与の時間間隔の間の周波数領域表現がそれぞれ、ｋ＝０〜Ｍ−１である第ｋの占有サブキャリアごとの複素シンボルＳｋＴｘ及びＳｋＴｘ２である時間領域信号である。同様に、所与の時間間隔の間の時間領域信号
【数８４】
2021506184.tif 000086
及び
【数８５】
2021506184.tif 000087
はそれぞれ、周波数領域において、ｋ＝０〜Ｍ−１である第ｋの周波数ごとの複素シンボルＳｋＴｘ１及びＳｋＴｘ２を表す。これらの時間領域信号
【数８６】
2021506184.tif 000088
及び
【数８７】
2021506184.tif 000089
はそれぞれ、ＳＣ−ＦＤＭＡシンボルに対応する。したがって、信号
【数８８】
2021506184.tif 000090
又は信号
【数８９】
2021506184.tif 000091
におけるサンプルはそれぞれ、第１の送信アンテナ２．０に対応するＳＣ−ＦＤＭＡシンボルにおけるサンプルと、第２の送信アンテナ２．１に対応するＳＣ−ＦＤＭＡシンボルにおけるサンプルとを指す。
【００５７】
ＩＤＦＴの後、任意選択でサイクリックプレフィックスを付加することができる。
【００５８】
図３を参照すると、特定のＳＳ−ＳＴＢＣ型プリコーダモジュール２．２の論理機能が詳細に示されている。
【００５９】
シンボルブロックＸ＝（Ｘ０，．．．ＸＭ−１）（第１のシンボルブロックとも呼ばれる）に適用されたＳＳ−ＳＴＢＣ型プリコーダ２．２は、シンボルブロックＹ＝（Ｙ０，．．．ＹＭ−１）（第２のシンボルブロックとも呼ばれる）を出力する。第１のシンボルブロックＸ＝（Ｘ０，．．．ＸＭ−１）を検討すると、これは、図２．２に示すように、Ｍ／２個のシンボルからなる２つの部分に分割される。第１の部分及び第２の部分はそれぞれ、Ｑ個の連続した変調シンボル
【数９０】
2021506184.tif 000092
及びＱ個の連続した変調シンボル
【数９１】
2021506184.tif 000093
を含む。これらの第１の部分及び第２の部分のＱ個の連続した変調シンボルは、データ、制御情報及び参照信号を含むことができる。
【００６０】
ブロックシンボルのこれらの２つの部分の間の干渉を制限するために、第１の部分は、Ｑ個の連続した変調シンボル
【数９２】
2021506184.tif 000094
の前及び後にそれぞれ位置決めされたＰ１個の連続したシンボルからなるサイクリックプレフィックス、及び／又は、Ｐ２個の連続したシンボルからなるサイクリックポストフィックスを含むことができる。第２の部分も、Ｑ個の連続した変調シンボル
【数９３】
2021506184.tif 000095
の前及び後にそれぞれ位置決めされたＰ１個の連続したシンボルからなるサイクリックプレフィックス及び／又はＰ２個の連続したシンボルからなるサイクリックポストフィックスを含むことができる。Ｐ１及び／又はＰ２の値は、０に設定することもでき、その場合に、プレフィックス及び／又はポストフィックスは含まれない。
【００６１】
したがって、第１のシンボルブロックＸ＝（Ｘ０，．．．ＸＭ−１）は、第１の部分のサイクリックプレフィックスについては、
【数９４】
2021506184.tif 000096
と定義することができ、第１の部分の有用なシンボル（データ、ＲＳ、制御シンボル）については、
【数９５】
2021506184.tif 000097
と定義することができ、第１の部分のサイクリックポストフィックスについては、
【数９６】
2021506184.tif 000098
と定義することができ、第２の部分のサイクリックプレフィックスについては、
【数９７】
2021506184.tif 000099
と定義することができ、第２の部分の有用なシンボル（データ、ＲＳ、制御シンボル）については、
【数９８】
2021506184.tif 000100
と定義することができ、第２の部分のサイクリックポストフィックスについては、
【数９９】
2021506184.tif 000101
と定義することができる。
【００６２】
特定のＳＳ−ＳＴＢＣ型プリコーダを第１のシンボルブロックＸ＝（Ｘ０，．．．ＸＭ−１）に適用すると、第２のシンボルブロックＹ＝（Ｙ０，．．．ＹＭ−１）が取得される。この第２のシンボルブロックは、事前に定義された第１のシンボルブロックに対して相対的に定義することができ、第１の部分のサイクリックプレフィックスについては、
【数１００】
2021506184.tif 000102
と定義することができ、第１の部分の有用なシンボル（データ、ＲＳ、制御シンボル）については、
【数１０１】
2021506184.tif 000103
と定義することができ、第１の部分のサイクリックポストフィックスについては、
【数１０２】
2021506184.tif 000104
と定義することができ、第２の部分のサイクリックプレフィックスについては、
【数１０３】
2021506184.tif 000105
と定義することができ、第２の部分の有用なシンボル（データ、ＲＳ、制御シンボル）については、
【数１０４】
2021506184.tif 000106
と定義することができ、第２の部分のサイクリックポストフィックスについては、
【数１０５】
2021506184.tif 000107
と定義することができる。
【００６３】
ただし、
【数１０６】
2021506184.tif 000108
であり、
【数１０７】
2021506184.tif 000109
であり、Ｘ＊はＸの複素共役である。
【００６４】
一変形形態では、サイクリックプレフィックス／ポストフィックスの代わりにゼロパディングを用いることができる。更に別の変形形態では、サイクリックプレフィックス及び／又はポストフィックスを、Ｑ個の連続した有用なシンボルに対して挿入するのではなく，Ｑ個の連続した有用なシンボル内のシンボルグループに対して挿入することができる。
【００６５】
したがって、Ｙは、データ、制御及び参照信号シンボルに関して、Ｘに基づいて、以下の式によって定義することができる。
【数１０８】
2021506184.tif 000110
【００６６】
ただし、εは値１又は−１である。別段の指定がない限り、以下では、ε＝１とみなす。実際に、第２のアンテナに関係した信号の正負符号（＋／−）の変化は、本方法を変えることはない。
【００６７】
図４を参照すると、特定のＳＳ−ＳＴＢＣ型プリコーダモジュール２．２の論理機能と、特定のＳＳ−ＳＴＢＣ型プリコーダモジュール２．２によってもたらされる特定のアラモウチペアリング構造とが詳細に示されている。すなわち、図４は、本発明によるＭ個のシンボルからなる第１のブロック内のシンボルのペアリングを詳細に示している。
【００６８】
ｐが０と異なるとき、Ｍ個のシンボルからなる第１のブロックの第１の部分のＱ個の有用なシンボルのうちの第０のシンボルＡ０が、Ｍ個のシンボルからなる第１のブロックの第２の部分のＱ個の有用なシンボルのうちの第（ｐ−１）のシンボルＢｐ−１とペアリングされる。次に、ｐよりも厳密に小さい各ｉについて、シンボルＡｉがシンボルＢｐ−ｉとペアリングされる。
【００６９】
次に、Ｍ個のシンボルからなる第１のブロックの第１の部分のＱ個の有用なシンボルのうちの残りのシンボルＡｐ〜ＡＱ−１が、Ｍ個のシンボルからなる第１のブロックの第２の部分のＱ個の有用なシンボルのうちの残りのシンボルＢＱ−１〜Ｂｐとペアリングされる。すなわち、第１のグループ（シンボルＡｐ〜ＡＱ−１）の最初のシンボルＡｐは、第２のグループ（シンボルＢｐ〜ＢＱ−１）の最後のシンボルＢＱ−１とペアリングされ、第１のグループ（シンボルＡｐ〜ＡＱ−１）の２番目のシンボルＡｐ＋１は、第２のグループ（シンボルＢｐ〜ＢＱ−１）の最後から２番目のシンボルＢＱ−２とペアリングされ、他のシンボルについても同様にペアリングされる。
【００７０】
ｐが０に等しいとき、最初のシンボルＡ０は、最後のシンボルＢＱ−１とペアリングされ、２番目のシンボルＡ１は、最後から２番目のシンボルＢＱ−２とペアリングされ、他のシンボルについても同様にペアリングされる。
【００７１】
第１のシンボルブロックの２つのシンボルＸａ及びＸｂは、シンボルＸａに由来するシンボルの位置、すなわち、
【数１０９】
2021506184.tif 000111
であるようなシンボルＹａ’の位置ａ’が位置ｂであるとき、ペアリング済みとみなされる。したがって、シンボルＸａ及びＸａに由来するシンボルＹａ’はそれぞれ、ａ及びｂである第１のシンボルブロック及び第２のシンボルブロック内の位置にあるのに対して、シンボルＸｂ及びＸｂに由来するシンボルはそれぞれ、ｂ及びａである第１のシンボルブロック及び第２のシンボルブロック内の位置にある。
【００７２】
図５を参照すると、この図は、一実施形態による、
【数１１０】
2021506184.tif 000112
に設定されたｐ値を有する特定のＳＳ−ＳＴＢＣ型プリコーダ論理機能が詳細に示されている。図５の例では、Ｐ１、Ｐ２及びＱのサイズは、この実施形態の描写を簡単にするように設定されている。したがって、（Ｐ１，Ｐ２，Ｑ）＝（３，１，８）である。もちろん、本発明は、Ｐ１、Ｐ２及びＱのそのようなサイズに限定されるものではない。
【００７３】
アラモウチペアの２つのシンボルの間の最大プリコーディング距離は１５シンボルである。すなわち、アラモウチペアの２つのシンボル間には、１４個のシンボルしかない。
【００７４】
サブキャリアマッピングモジュール２．５及び２．６の幾つかの構成が可能であり、例えば、サブキャリアマッピングを局所化することができる。すなわち、各ベクトルＳＴｘ１，２のＭ個の要素は、Ｎ個の存在するサブキャリアの中のＭ個の連続したサブキャリアにマッピングされる。
【００７５】
したがって、ＮがＭの倍数であるとき、ＩＤＦＴモジュール２．７の出力における時間領域の信号
【数１１１】
2021506184.tif 000113
及びＩＤＦＴモジュール２．８の出力における時間領域の信号
【数１１２】
2021506184.tif 000114
は、それぞれ、位置Ｍ・ｎにおける入力された時間シンボルＸｎ及びＹｎの正確なコピー（倍率を伴う）を有する。すなわち、
【数１１３】
2021506184.tif 000115
及び
【数１１４】
2021506184.tif 000116
である。
【００７６】
他の位置では、第１のＳＣ−ＦＤＭＡシンボル及び第２のＳＣ−ＦＤＭＡシンボル内のサンプルの値はそれぞれ、異なる複素重み付けを有する全てのＸｎ及びＹｎの和である。したがって、
【数１１５】
2021506184.tif 000117
及び
【数１１６】
2021506184.tif 000118
はそれぞれ、第１のシンボルブロック及び第２のシンボルブロックをオーバーサンプリングしたものである。より多くの説明は、「Single carrier FDMA: a new air interface for long term evolution」HG Myung, DJ Goodman - John Wiley & Sons, 2008に見ることができる。
【００７７】
したがって、アラモウチペアの２つのシンボルにそれぞれ対応する第１のＳＣ−ＦＤＭＡシンボル内の２つのサンプル
【数１１７】
2021506184.tif 000119
及び
【数１１８】
2021506184.tif 000120
の間の距離、すなわち、Ｍ（ｂ−ａ）個のサンプルは、（ｂ−ａ）個のシンボルである第１のシンボルブロック内のこれらの２つのアラモウチシンボルの間の距離に依存する。
【００７８】
サブキャリアマッピングは、分散させることもできる。すなわち、各ベクトルＳＴｘ１，２のＭ個の要素は、帯域幅全体にわたって等距離を置いてマッピングされ、０が未使用のサブキャリアを占有する。
【００７９】
したがって、ＮがＭの倍数であるとき、ＩＤＦＴモジュール２．７の出力における時間領域の信号
【数１１９】
2021506184.tif 000121
及びＩＤＦＴモジュール２．８の出力における時間領域の信号
【数１２０】
2021506184.tif 000122
は、それぞれ、シンボルブロックＸ及びＹのＮ／Ｍ回の繰り返しを有する。すなわち、
【数１２１】
2021506184.tif 000123
及び
【数１２２】
2021506184.tif 000124
である。
【００８０】
したがって、アラモウチペアの２つのシンボルにそれぞれ対応する第１のＳＣ−ＦＤＭＡシンボル内の２つのサンプル
【数１２３】
2021506184.tif 000125
及び
【数１２４】
2021506184.tif 000126
の間の距離、すなわち、（ｂ−ａ）個のサンプルは、（ｂ−ａ）個のシンボルである第１のシンボルブロック内のこれらの２つのアラモウチシンボルの間の距離に依存する。
【００８１】
２つのサンプルの間の距離は、これらの２つのサンプルの無線信号における送信の間の時間差（又は持続時間）を意味する。
【００８２】
したがって、アラモウチペアのシンボルにそれぞれ対応する２つのサンプルの間の距離は、第１のシンボルブロック内のこれらのシンボルの距離に比例するか、又は、少なくとも依存する。
【００８３】
これは、無線信号におけるシンボル及びそれらの対応するサンプルの間の他の全てのサブキャリアマッピングタイプ及び／又は非整数のＮ／Ｍ比の同様の関係にも当てはまる。
【００８４】
したがって、同じペアの２つのシンボルの間の第１のシンボルブロック内の最大プリコーディング距離を最小にすることによって、同じペアの２つのシンボルに対応する無線信号におけるサンプルの間の最大持続時間が最小化される。これによって、シンボルＸａに対応する第１のＳＣ−ＦＤＭＡシンボル及び第２のＳＣ−ＦＤＭＡシンボル内のサンプルの送信の間のチャネル変化を最小にすることが可能になる。これらのサンプル送信間のチャネル変化を最小にすることによって、干渉及び性能損失をもたらす同じアラモウチペアのシンボル間の直交性損失が低減される。
【００８５】
同じペアの２つのシンボル間の最大プリコーディング距離を最小にすることは、ｐ値がほぼＱ／２の値に設定されているとき、具体的には、ｐが
【数１２５】
2021506184.tif 000127
及び／又は
【数１２６】
2021506184.tif 000128
に等しいときに得られる。
【００８６】
図６を参照すると、一実施形態による、Ｋに設定されたｐ値を有する特定のＳＳ−ＳＴＢＣ型プリコーダ論理機能が詳細に示されている。この例では、Ｐ１、Ｐ２及びＱのサイズは、この実施形態の描写を簡単にするように設定されている。したがって、（Ｐ１，Ｐ２，Ｑ）＝（３，１，８）である。もちろん、本発明は、Ｐ１、Ｐ２及びＱのそのようなサイズに限定されるものではない。
【００８７】
第１のシンボルブロックの第１の部分の有用部分の最初のＫ個のシンボルは、第１のシンボルブロックの第２の部分の有用部分の最初のＫ個のシンボルとペアリングされる。したがって、第１のシンボルブロックの第１の部分の有用部分の最初のＫ個のシンボルからのプリコーダから送出されたＫ個のシンボルは、第２のシンボルブロックの第２の部分の有用部分の最初のＫ個のシンボルである。
【００８８】
したがって、第１のシンボルブロックの第１の部分の有用部分の最初のＫ個のシンボル、及び、それらの（プリコーダから）送出されたシンボルはともに、Ｐ１個のプレフィックスシンボルの後方に位置決めされる。これによって、これらの２Ｋ個のシンボルを干渉、特にマルチパス干渉から保護することが可能になる。一変形形態では、プレフィックスを，Ｑ個のシンボルに対してではなく、各有用部分の最初のＫ個のシンボルに対して挿入することができることに留意されたい。すなわち、第１のシンボルブロック内に挿入されるプレフィックスは、それぞれシンボルＡＫ−−Ｐ１．．．ＡＫ−１及びＢＫ−−Ｐ１．．．ＢＫ−１を含む。
【００８９】
Ｋ個の送出されたシンボルは、第１のシンボルブロックの第１の部分の有用部分の最初のＫ個のシンボルの取り出しを容易にすることができるので、グループＧを形成する第１の部分の最初のＫ個のシンボルは、干渉に対してよりロバストである。したがって、これは、特に参照信号シンボル及び／又は制御シンボルとして干渉から保護する必要があるグループＧシンボル内の挿入に関係がある。なぜならば、グループＧシンボルは、他のシンボルを適切に復号化するのに特に重要であるからである。
【００９０】
図７を参照すると、この図は、一実施形態による、０に設定されたｐ値を有する特定のＳＳ−ＳＴＢＣ型プリコーダ論理機能の詳細を与えている。この例では、Ｐ１、Ｐ２及びＱのサイズは、この実施形態の描写を簡単にするように設定されている。したがって、（Ｐ１，Ｐ２，Ｑ）＝（３，１，８）である。もちろん、本発明は、Ｐ１、Ｐ２及びＱのそのようなサイズに限定されるものではない。
【００９１】
この実施形態では、第１のシンボルブロックの第１の部分の有用部分の最初のシンボルは、第１のシンボルブロックの第２の部分の有用部分の最後のシンボルとペアリングされる。第１のシンボルブロックの第１の部分の有用部分の２番目のシンボルは、第１のシンボルブロックの第２の部分の有用部分の最後から２番目のシンボルとペアリングされる。他のシンボルについて、同様にペアリングされる。このアラモウチペアリング構造は、プリコーダにとって複雑度が低い。
【００９２】
そのような構造に基づくと、それぞれＫｉ個のシンボルを有する幾つかのグループ
【数１２７】
2021506184.tif 000129
を定義することが可能である。これらの幾つかのグループは、対称的に配置される。すなわち、Ｋｉ個のシンボルからなる第ｉの第１グループＧｉを、Ｍ個のシンボルからなる第１のブロックの第
【数１２８】
2021506184.tif 000130
のシンボル
【数１２９】
2021506184.tif 000131
から第
【数１３０】
2021506184.tif 000132
のシンボル
【数１３１】
2021506184.tif 000133
までのシンボルからなるグループとして定義することと、
Ｋｉ個のシンボルからなる第ｉの第１グループＧ’ｉを、Ｍ個のシンボルからなる第１のブロックの第
【数１３２】
2021506184.tif 000134
のシンボル
【数１３３】
2021506184.tif 000135
から第
【数１３４】
2021506184.tif 000136
のシンボル
【数１３５】
2021506184.tif 000137
までのシンボルからなるグループとして定義することとによる。
【００９３】
したがって、第ｉのグループＧｉのシンボルは、グループＧ’ｉのシンボルとペアリングされる。グループＧｉ及びグループＧ’ｉは、ペアリングされたグループと呼ばれる。第ｉのグループのシンボルに対応する第１のＳＣ−ＦＤＭＡシンボル及び第２のＳＣ−ＦＤＭＡシンボル内のサンプルは、ペアリングされたグループＧ’ｉのシンボルに対応する第１のＳＣ−ＦＤＭＡシンボル及び第２のＳＣ−ＦＤＭＡシンボル内のサンプルと同時に送信される。したがって、受信機側では、或るグループ及びそのペアリングされたグループのシンボルに対応するサンプルの処理を、他のグループのシンボルに対応する他のサンプルの処理から分離することが可能である。
【００９４】
ペアリングされたグループのシンボルが同じタイプのものである場合、例えば、データシンボル、参照信号シンボル又は制御シンボルである場合、受信機側では、例えば、無線信号の参照信号部分の処理を分離することが可能である。
【００９５】
加えて、ｐ値、Ｐ１及びＰ２を０に設定すること及びそのような特定のグループ構造を有することは、３ＧＰＰ  ＴＳ３８．２１１の表６．４．１．２．２．２−１  第６．４．１．２．２項に記載されたＤＦＴｓＯＦＤＭ  ＰＵＳＣＨのＰＴＲＳ挿入パターンに従って参照信号を挿入するのに便利である。確かに、これらの挿入パターンは対称的である。すなわち、例えば、第１のシンボルブロックのＮｇｒｏｕｐＰＴＲＳ個の最初のシンボル及びＮｇｒｏｕｐＰＴＲＳ個の最後のシンボルが参照信号として設定される。したがって、Ｋ１をＮｇｒｏｕｐＰＴＲＳに設定することによって、このグループ構造は、そのような挿入パターンに適合する。
【００９６】
別の例では、２つのＲＳサンプルのそれぞれ２つのグループを挿入するとき、ＲＳは、第１のシンボルブロックの各２分の１の部分の中央、すなわち、位置（Ｍ／４−１，Ｍ／４）及び（３Ｍ／４−１，３Ｍ／４）に挿入される。したがって、例えば、Ｋ２を２に設定し、Ｋ１をＭ／４−１に設定することによって、このグループ構造は、そのような挿入パターンに適合する。したがって、より一般的には、Ｋｉ＝２に設定するとともに、
【数１３６】
2021506184.tif 000138
及び
【数１３７】
2021506184.tif 000139
、    
【数１３８】
2021506184.tif 000140
であるように設定すると、このグループ構造は、そのような挿入パターンに適合する。
【００９７】
別の例では、ＲＳが挿入されるべきペアリングされたグループのシンボルは、プリコーダを適用する前に、第１のシンボルブロックにおいて０に設定される。ＲＳは、その後、プリコーダを適用した後に、０と引き換えに挿入される。例えば、この挿入は、ＤＦＴモジュール２．３及び２．４を適用する前に、すなわち、第１のシンボルブロック及び第２のシンボルブロック内の０に設定されたシンボルを所望の値に設定することによって行うことができる。参照信号の場合、それらの値は受信機によって知られているので、第２のシンボルブロックに挿入される参照信号の値を、第１のシンボルブロックに挿入される参照信号がプリコーディングされていた場合に得られるこれらのシンボルの値と等しくする必要はない。同等の実施選択肢として、対応する信号を追加して、参照信号がＤＦＴを適用する前に挿入されていた場合と同じ又は同等の信号を得ることによって、参照信号をＤＦＴ後（すなわち、周波数領域において）又はＩＤＦＴ後に挿入することができる。
【００９８】
図８を参照すると、本発明による、無線信号においてシンボルを送信するステップを表すフローチャートが示されている。
【００９９】
ステップＳ１において、プリコーダモジュール２．２を構成するのに用いられるパラメータが求められる。すなわち、ｐ値、Ｐ１、Ｐ２及びＭのサイズが求められる。これらのパラメータは、プリコーダのパラメータと呼ばれる。
【０１００】
パラメータのこの決定は、基地局１．２によって決まる通信の方式及び／又はセルの構成に従って行われる。
【０１０１】
送信機がモバイル端末である場合、基地局１．２は、通信のパラメータを事前に求め、送信機１．１のプリコーダのパラメータを事前に設定することができる。
【０１０２】
プリコーダのパラメータを表す情報は、送信機１．１に送信することができる。したがって、送信機１．１は、ｐ値並びにＰ１、Ｐ２及びＭのサイズを表す情報、又は、ｐ値並びにＰ１、Ｐ２及びＭのサイズの計算を可能にする情報を受信する。この情報に基づいて、送信機１．１は、ｐ値並びにＰ１、Ｐ２及びＭのサイズを効果的に求めることができる。
【０１０３】
例えば、基地局１．２は、以下のものを送信機１．１に送信することができる。
−セル固有のｐ値情報；及び／又は
−送信機固有のｐ値情報；及び／又は
−Ｐ１、Ｐ２及びＭのサイズ。
【０１０４】
これらのパラメータ及び特にｐ値は、例えば、基地局１．２が以下のものに基づいて求めることができる。
−セル固有の構成；及び／又は
−動的制御表示、例えば、ＤＣＩインジケーター／フォーマット；及び／又は
−参照信号ＲＳの構成／挿入パターン；及び／又は
−変調符号化方式、リソース割り当てサイズ（これらに限定されない）等のユーザ固有のパラメータ；及び／又は
−同じセル内の別の送信機によって用いられるｐ’値；及び／又は
−所定の値のセット（ｐｉ，Ｐ１ｉ，Ｐ２ｉ，Ｍｉ）。
【０１０５】
ｐ値は、基地局１．２が一組の所定の値の中からランダムに決定することもできる。
【０１０６】
代替形態では、基地局１．２は、ｐ値並びにＰ１、Ｐ２及びＭのサイズを表す情報をモバイル端末１．１に送信しないが、上述した情報のうちの１つを送信し、この情報に基づいて、端末１．１は、基地局１．２によって設定されたプリコーダパラメータを推論することができる。例えば、特定の参照信号構成の使用は、特定のプリコーダのパラメータに関係付けることができる。
【０１０７】
代替の実施形態では、基地局１．２は、プリコーダのパラメータではなく、通信の方式（例えば、ＲＳ挿入パターン、変調符号化方式、ＭＣＳ等）及び／又はセルの構成を求めることができ、送信機１．１に通信方式に従ってパラメータを求め及び／又は計算させることができる。この場合、送信機１．１は、プリコーダのパラメータを求めると、基地局１．２がプリコーダのパラメータを取り出すことを可能にする情報を基地局１．２に送信することができる。
【０１０８】
送信機１．１が基地局であり、受信機１．２がモバイル端末である場合、基地局１．１は、基地局１．１のプリコーダモジュール２．２を構成するのに用いられるパラメータを求める。すなわち、ｐ値、Ｐ１、Ｐ２及びＭのサイズが設定される。これらのパラメータは、プリコーダのパラメータと呼ばれる。
【０１０９】
受信機１．２と通信するときに用いられるこれらのパラメータ及び特にｐ値は、基地局１．１が以下のものに基づいて求めることができる。
−セル固有の構成；
−参照信号ＲＳの構成／挿入パターン；
−受信機１．２について求められたユーザ固有のパラメータ；
−隣接する基地局によって用いられるｐ’値；
−所定の値のセット（ｐｉ，Ｐ１ｉ，Ｐ２ｉ，Ｍｉ）。
【０１１０】
加えて、上記の実施形態と同様に、基地局１．１は、モバイル端末１．２がプリコーダによって用いられるパラメータを推論することを可能にし、したがって、モバイル端末１．２が受信された通信を復号化することを可能にする情報をモバイル端末１．２に提供する。
【０１１１】
加えて、双方の場合において、モバイル端末が受信機１．２又は送信機１．１のいずれであっても、モバイル端末は、基地局及びモバイル端末の双方によって共通に知られているルールに基づいてこれらのパラメータを推論することができる。
【０１１２】
更に別の例では、送信機及び受信機の双方がモバイル端末である。ｐ値は、所定のルールに基づいて又は協力によって求めることができる。
（例えば、各モバイル端末が、自身の通信に用いられるｐ値を求め、このｐ値を他のモバイル端末に転送する；
例えば、各モバイル端末が、自身の通信に用いられるｐ値を求め、他の端末は、この用いられる値を他の情報から暗黙的に求めることができる；
例えば、一方の端末が、双方向の通信中に用いられるｐ値を決定し、このｐ値を他方の端末に転送する；
例えば、一方の端末が、双方向の通信中に用いられるｐ値を決定し、他方の端末は、この用いられる値を他の情報から暗黙的に求めることができる；
例えば、端末は、共通のｐ値を求めることを可能にする情報を交換する；
例えば、双方の端末が、他の既知のパラメータ／構成に基づいてｐ値を明瞭に求めることを可能にする一組の既知のルールを適用する；
例えば、ｐ値は、全てのサイドリンク通信について固定されている、等。）
【０１１３】
ステップＳ３において、プリコーダモジュール２．２は、端末１．１によって求められたプリコーダのパラメータに従って構成される。
【０１１４】
ステップＳ５において、信号は処理される。すなわち、第１のシンボルブロックＸ＝（Ｘ０，．．．ＸＭ−１）に対して、第２のシンボルブロックＹ＝（Ｙ０，．．．ＹＭ−１）を取得するように事前に構成された特定のＳＳ−ＳＴＢＣ型プリコーダモジュール２．２が適用される。次に、第１のシンボルブロック及び第２のシンボルブロックのそれぞれに対して、ＳＣ−ＦＤＭＡ方式（ＤＦＴモジュール２．３及び２．４、サブキャリアマッピングモジュール２．５及び２．６、ＩＤＦＴモジュール２．７及び２．８）が適用される。
【０１１５】
ステップＳ７において、信号は、Ｔｘ１  ２．０及びＴｘ２  ２．１によって送信される。
【図１】
2021506184.tif 000161
【図２】
2021506184.tif 000162
【図３】
2021506184.tif 000163
【図４】
2021506184.tif 000164
【図５】
2021506184.tif 000165
【図６】
2021506184.tif 000166
【図７】
2021506184.tif 000167
【図８】
2021506184.tif 000168
【国際調査報告】
2021506184.tif 000169
2021506184.tif 000170
2021506184.tif 000171